(57)【要約】【課題】自動演奏ギターの弾弦装置において弦の位置に対する弾弦用爪の位置精度向上、および弾弦装置の駆動用ワイヤー、チューブが直接手で触れられないようにする。【解決手段】弾弦装置の保持装置をギターボディのアーチトップ近傍に取り付け、直接ギター本体に固定するようにした。また、ワイヤーとチューブは、一端を弾弦装置に固着し、ギターボディの表板と裏板を貫通し他端を駆動ソレノイドに固定するようにした。【選択図】図１
2010266832.tif 000002
【特許請求の範囲】
【請求項１】
自動演奏ギター弾弦装置の保持装置において、
前記保持装置の固定に関し、
ギターボディのアーチトップ近傍に取り付け穴を設け、
前記保持装置を表板裏面より
前記取り付け穴を介して、ネジ止め固定することを特徴とする弾弦装置の保持装置
【請求項２】
自動演奏ギターの弾弦装置において、
前記弾弦装置の弾弦動作に関し
前記駆動手段としてワイヤーとチューブを用い
前記ワイヤーとチューブは、一端を弾弦装置に固着し、
ギターボディの表板と裏板を貫通し
前記ワイヤーとチューブは、他端を駆動ソレノイドに固定することを特徴とする弾弦装置
【発明の詳細な説明】
【技術分野】
【０００１】    本発明は、自動演奏ギターの弾弦装置に関する。
【背景技術】
【０００２】    従来の自動演奏ギターの弾弦装置に関し筐体より弾弦装置全体を支える装置と、弾弦装置の駆動ワイヤーを、ギター本体を支える筐体より支える装置はあった。
（例えば、特許文献１参照）
【先行技術文献】
【特許文献】
【０００４】
【特許文献１】特開平７−６４５４３
【発明の概要】
【発明が解決しようとする課題】
【０００５】    以上に述べた従来の自動演奏ギターの弾弦装置では、ギターを支える筐体より弾弦装置本体を支えるため、装置が大掛かりになっていた。
また弦の位置に対する弾弦用爪の位置精度が悪く、精度向上が望まれていた。
弾弦装置の駆動用ワイヤー、チューブに関しては、手で触れられてしまうことがあり直接手で触れられないようにすることが望まれていた。【０００６】    本発明は、自動演奏ギターの弾弦装置の改善を図った装置である。
【課題を解決するための手段】
【０００７】    本発明は上記目的を達成するために
自動演奏ギター弾弦装置の保持装置において、
前記保持装置の固定に関し、
ギターボディのアーチトップ近傍に取り付け穴を設け、
前記保持装置を表板裏面より
前記取り付け穴を介して、ネジ止め固定することを特徴とする弾弦装置の保持装置【０００８】    自動演奏ギターの弾弦装置において、
前記弾弦装置の弾弦動作に関し
前記駆動手段としてワイヤーとチューブを用い
前記ワイヤーとチューブは、一端を弾弦装置に固着し、
ギターボディの表板と裏板を貫通し
前記ワイヤーとチューブは、他端を駆動ソレノイドに固定することを特徴とする弾弦装置【０００９】
【発明の効果】
【００１０】    上述したように本発明の自動演奏ギターの弾弦装置の保持装置（弾弦装置６個を保持する装置全体を言う）の固定手段は、直接ギターボデイのアーチトップ近傍で固定されるため、装置のスリム化が図られ、音色、音量ともほとんど落とさずにギター本体との寸法誤差をなくすことができる。
また弾弦装置の弾弦動作に関しては、チューブとワイヤーが、表に出ないので、実感上のうっとうしさもなくなり、手で触れにくくなることから、装置の安全性にもつながる。
【図面の簡単な説明】
【００１１】
【図１】本発明の実施形態を示す正面図
【図２】右側面図
【図３】駆動部右側面図
【図４】上面図
【図５】弾弦装置上面図
【図６】弾弦装置正面図
【図７】弾弦装置側面図
【図８】弾弦装置側面動作途中図
【図９】弾弦装置爪動作図
【図１０】弾弦装置側面動作終了図
【図１１】チューブホルダー正面図
【図１２】チューブホルダー側面図
【図１３】チューブホルダー取り付け正面図
【図１２】チューブホルダー取り付け側面図
【発明を実施するための形態】
【００１２】    以下、本発明の実施の形態を図に基ずいて説明する。
【００１３】    図においては、まず弾弦装置について説明をすると、図６は正面図、図７は側面図、    図５は上面を表す。
１０はギターの弦、１８は弦をはじく爪である。
弾弦装置は、後述する、取り付けベース６に各ブロック７で合計６個取り付けられて    いる。
【００１４】    図６でブロック７は弾弦装置のサブベース４１にネジ止めされサブベース４１には、以下のものがとめられている。
カラー４０をはさんで、圧入ピン３９と回り対偶をなすレバー１７がピン３９で止められている。
レバー１７の先端には、ピン３６と回り対偶をなしかつコイルスプリング３５で、ある程度摩擦を持って回転する爪ホルダー３０が装着されており、中間部には、ワイヤー１９の通る穴３８があけられており、横からネジで固定できるよう、ネジ３７が加工されている。爪ホルダー１７に圧入されたピン３２の上限ストッパー３１、下限ストッパー３３、が圧入されている。
爪ホルダー３０には爪１８が、ネジ４５で固定されている。
ここで爪１８の先端の運動について説明をすると、図７の状態からワイヤー１９を右方向にピン３２が下限ストッパー３３に当たるまで曳くと図８の状態になり爪の先端が弦にほぼ接触する。
さらにワイヤー１９を曳くと、図１０の状態になり弦ははじかれ振動する。
図９は爪１８の先端の軌跡を現した図で、ほぼひし形４３のかたちの運動をする。
【００１５】  この弾弦装置にワイヤー１９を曳く装置を追加すると、図１１はレバー２１の正面図で、サブベース４１に取り付け用の穴と、チューブ２０を取り付けるための、ネジが加工されている。
図１２ではチューブ先端にネジが加工されておりレバー２１にネジ止めされている。
またスペーサー４４を介してネジでサブベース４１に固定されている。
図１３はレバー２１の弾弦装置への取り付け正面図で図１４は側面図である。
【００１６】    このような構造と動作をする弾弦装置をギター本体表板に取り付ける構造を説明すると、図１は本発明の実施形態を示す正面図、図２は右側面図、図３は駆動部右側面図、図４は上面図で１はギターボディのアーチトップ、８は表板、アーチトップ近傍の表板８にネジ止めされたスタッド２の上にホルダー３が２対あり、ロッド５で連結されている。ホルダー３の先端部には各ブロック４がネジ止めされており、このブロックの上に、ベース６がネジ止めされている。
このベース６の下側に、弾弦装置が６個ブロック７でネジ止めされている。
１１はギターのサウンドホール、１０は第５弦を表す。
【００１７】ベース６の上にはスペーサ１５を介して、長板１４が取り付けられており、下方先端にネジ１３Ａとすべり対偶をなすよう穴が開けられている。
ネジ１３Ａは表板８にネジ止めされたスタッド１３にネジ止めされ、長板１４は、スプリング２２で、上方に持ち上げられている。
ネジ１３Ａの上方には長板１４をソレノイド（図示せず）で音の強弱用に爪を上下に微動させるためのワイヤー４８の貫通穴４７とネジ止め用のネジ４６が加工されている。
ワイヤー４８は表板８、裏板１６を貫通して図３に示すソレノイドボックス２４に入る。
【００１８】  図３は駆動部右側面図で段減装置のソレノイド駆動を表している
２３はソレノイドボックスのベース、１９はワイヤーで鉄心２７にネジ止めされている。
２５はソレノイド、２６はスプリング、で鉄心２７の進退でワイヤー１９が、進退し、爪が弦をはじく。
【符号の説明】
【００１９】１  アーチトップ
８  ギターボディ表面
１６ギターボディ裏面
１９ワイヤー
２０チューブ
２５ソレノイド
２８取り付け穴
９，１２，２９，４２は欠番
【図１】
2010266832.tif 000003
【図２】
2010266832.tif 000004
【図３】
2010266832.tif 000005
【図４】
2010266832.tif 000006
【図５】
2010266832.tif 000007
【図６】
2010266832.tif 000008
【図７】
2010266832.tif 000009
【図８】
2010266832.tif 000010
【図９】
2010266832.tif 000011
【図１０】
2010266832.tif 000012
【図１１】
2010266832.tif 000013
【図１２】
2010266832.tif 000014
【図１３】
2010266832.tif 000015
【図１４】
2010266832.tif 000016
【手続補正書】
【提出日】平成21年7月21日(2009.7.21)
【手続補正１】
【補正対象書類名】明細書
【補正対象項目名】００１１
【補正方法】変更
【補正の内容】
【００１１】
【図１】本発明の実施形態を示す正面図
【図２】右側面図
【図３】駆動部右側面図
【図４】上面図
【図５】弾弦装置上面図
【図６】弾弦装置正面図
【図７】弾弦装置側面図
【図８】弾弦装置側面動作途中図
【図９】弾弦装置爪動作図
【図１０】弾弦装置側面動作終了図
【図１１】チューブホルダー正面図
【図１２】チューブホルダー側面図
【図１３】チューブホルダー取り付け正面図
【図１４】チューブホルダー取り付け側面図